【手続補正書】
【提出日】平成16年10月20日(2004.10.20)
【手続補正１】
【補正対象書類名】明細書
【補正対象項目名】特許請求の範囲
【補正方法】変更
【補正の内容】
【特許請求の範囲】
【請求項１】
点状の一次光源と、該一次光源に隣接して配置され該一次光源から発せられる光を導光し且つ前記一次光源から発せられる光が入射する光入射端面及び導光される光が出射する光出射面を有する板状の導光体と、該導光体の光出射面に隣接して配置されている光偏向素子とを有する面光源装置であって、前記光偏向素子は２つの光偏向シートを含んでおり、該光偏向シートは前記導光体の光出射面からの出射光に基づく光が入射する入光面とその反対側の出光面とを有しており、前記光偏向シートのうちの前記導光体の最も近くに位置する第１の光偏向シートの入光面には前記光入射端面と略平行な方向に延びた複数のレンズ列が形成されており、該レンズ列は頂角が５０〜８０°の略三角形の断面形状をなしており、他の光偏向シートの入光面には前記光入射端面と略直交する方向に延びた複数の線状凹凸が形成されており、該線状凹凸形成面の平均傾斜角は５〜４０°であることを特徴とする面光源装置。
【請求項２】
点状の一次光源と、該一次光源に隣接して配置され該一次光源から発せられる光を導光し且つ前記一次光源から発せられる光が入射する光入射端面及び導光される光が出射する光出射面を有する板状の導光体と、該導光体の光出射面に隣接して配置されている光偏向素子とを有する面光源装置であって、前記光偏向素子は少なくとも１つの光偏向シートを含んでおり、該光偏向シートは前記導光体の光出射面からの出射光に基づく光が入射する入光面とその反対側の出光面とを有しており、前記光偏向シートのうちの前記導光体の最も近くに位置する第１の光偏向シートの入光面には前記光入射端面と略平行な方向に延びた複数のレンズ列が形成されており、該レンズ列は頂角が５０〜８０°の略三角形の断面形状をなしており、前記第１の光偏向シートの出光面又はその他の光偏向シートの入光面若しくは出光面には前記光入射端面と略直交する方向にヘアライン処理が施された複数の線状凹凸が形成されており、該線状凹凸形成面の平均傾斜角は５〜４０°であることを特徴とする面光源装置。
【請求項３】
点状の一次光源と、該一次光源に隣接して配置され該一次光源から発せられる光を導光し且つ前記一次光源から発せられる光が入射する光入射端面及び導光される光が出射する光出射面を有する板状の導光体と、該導光体の光出射面に隣接して配置されている光偏向素子とを有する面光源装置であって、前記光偏向素子は少なくとも１つの光偏向シートを含んでおり、該光偏向シートは前記導光体の光出射面からの出射光に基づく光が入射する入光面とその反対側の出光面とを有しており、前記光偏向シートのうちの前記導光体の最も近くに位置する第１の光偏向シートの入光面には前記光入射端面と略平行な方向に延びた複数のレンズ列が形成されており、該レンズ列は頂角が５０〜８０°の略三角形の断面形状をなしており、前記第１の光偏向シートの出光面又はその他の光偏向シートの入光面若しくは出光面には前記光入射端面と略直交する方向に不連続的な複数のレンズ列が形成されており、該レンズ列形成面の平均傾斜角は５〜４０°であることを特徴とする面光源装置。
【手続補正２】
【補正対象書類名】明細書
【補正対象項目名】０００８
【補正方法】変更
【補正の内容】
【０００８】
【課題を解決するための手段】
すなわち、本発明の面光源装置は、点状の一次光源と、該一次光源に隣接して配置され該一次光源から発せられる光を導光し且つ前記一次光源から発せられる光が入射する光入射端面及び導光される光が出射する光出射面を有する板状の導光体と、該導光体の光出射面に隣接して配置されている光偏向素子とを有する面光源装置であって、前記光偏向素子は２つの光偏向シートを含んでおり、該光偏向シートは前記導光体の光出射面からの出射光に基づく光が入射する入光面とその反対側の出光面とを有しており、前記光偏向シートのうちの前記導光体の最も近くに位置する第１の光偏向シートの入光面には前記光入射端面と略平行な方向に延びた複数のレンズ列が形成されており、該レンズ列は頂角が５０〜８０°の略三角形の断面形状をなしており、他の光偏向シートの入光面には前記光入射端面と略直交する方向に延びた複数の線状凹凸が形成されており、該線状凹凸形成面の平均傾斜角は５〜４０°であることを特徴とするものである。
【手続補正３】
【補正対象書類名】明細書
【補正対象項目名】０００９
【補正方法】変更
【補正の内容】
【０００９】
また、本発明の面光源装置は、点状の一次光源と、該一次光源に隣接して配置され該一次光源から発せられる光を導光し且つ前記一次光源から発せられる光が入射する光入射端面及び導光される光が出射する光出射面を有する板状の導光体と、該導光体の光出射面に隣接して配置されている光偏向素子とを有する面光源装置であって、前記光偏向素子は少なくとも１つの光偏向シートを含んでおり、該光偏向シートは前記導光体の光出射面からの出射光に基づく光が入射する入光面とその反対側の出光面とを有しており、前記光偏向シートのうちの前記導光体の最も近くに位置する第１の光偏向シートの入光面には前記光入射端面と略平行な方向に延びた複数のレンズ列が形成されており、該レンズ列は頂角が５０〜８０°の略三角形の断面形状をなしており、前記第１の光偏向シートの出光面又はその他の光偏向シートの入光面若しくは出光面には前記光入射端面と略直交する方向にヘアライン処理が施された複数の線状凹凸が形成されており、該線状凹凸形成面の平均傾斜角は５〜４０°であることを特徴とするものである。
【手続補正４】
【補正対象書類名】明細書
【補正対象項目名】００１０
【補正方法】変更
【補正の内容】
【００１０】
さらに、本発明の面光源装置は、点状の一次光源と、該一次光源に隣接して配置され該一次光源から発せられる光を導光し且つ前記一次光源から発せられる光が入射する光入射端面及び導光される光が出射する光出射面を有する板状の導光体と、該導光体の光出射面に隣接して配置されている光偏向素子とを有する面光源装置であって、前記光偏向素子は少なくとも１つの光偏向シートを含んでおり、該光偏向シートは前記導光体の光出射面からの出射光に基づく光が入射する入光面とその反対側の出光面とを有しており、前記光偏向シートのうちの前記導光体の最も近くに位置する第１の光偏向シートの入光面には前記光入射端面と略平行な方向に延びた複数のレンズ列が形成されており、該レンズ列は頂角が５０〜８０°の略三角形の断面形状をなしており、前記第１の光偏向シートの出光面又はその他の光偏向シートの入光面若しくは出光面には前記光入射端面と略直交する方向に不連続的な複数のレンズ列が形成されており、該レンズ列形成面の平均傾斜角は５〜４０°であることを特徴とするものである。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００４６
【補正方法】変更
【補正の内容】
【００４６】
レンズ列４４ａは、平均傾斜角が８〜６０°であることが好ましい。これは、平均傾斜角をこの範囲とすることによって導光体４内に入射した光の分布を広げることができ、導光体４からの出射光の輝度分布の均一性の向上を図ることができるためである。この平均傾斜角は、１５〜３５゜の範囲とすることがより好ましい。